(57)【特許請求の範囲】
【請求項１】
商品載置用非冷棚或いは大型低温ショーケース等における商品載置用棚板の取付板に取付可能なショーケース本体を備える低温ショーケースであって、前記ショーケース本体の背面側に前記取付板のフック穴に係合可能なフックを設けたことを特徴とする低温ショーケース。
【請求項２】
前記フックは前記ショーケース本体に対して着脱自在であることを特徴とする請求項１記載の低温ショーケース。
【請求項３】
前記ショーケース本体の前面側にプライスフォルダを設けたことを特徴とする請求項１または請求項２記載の低温ショーケース。
【発明の詳細な説明】
【０００１】
【発明の属する技術分野】
本発明は、低温ショーケースに係り、特に非冷棚や大型の低温ショーケース等に取付可能な小型の低温ショーケースに関する。
【０００２】
【従来の技術】
近年、薬事法の改正により例えばコンビニエンスストア等においても機能性ドリンクが販売されるようになる。この種の機能性ドリンクの販売に適した低温ショーケースとしては従来卓上型低温ショーケースが一般的であるが、この卓上型低温ショーケースは高さが高すぎて例えば低温保存を必要としない商品を載置するコンビニエンスストアの非冷棚に設置すること等は不可能である。
【０００３】
そこで、前面が開放されたオープン型の小型低温ショーケースをコンビニエンスストア等の非冷棚の棚板上に設置することが提案される。
【０００４】
例えば、図９において１０３はコンビニエンスストアに配置される非冷棚を示す。この非冷棚１０３は棚本体１０９を備え、この棚本体１０９は土台１１１と取付板１１３とを備える。この取付板１１３には複数のフック穴１１９が設けられ、このフック穴１１９には複数の棚板１１５が取り付けられる。
【０００５】
前記した構成による既存の非冷棚１０３に、小型低温ショーケース１０１を設置する場合には、この小型低温ショーケース１０１は、図９に示すように、棚板１１５上に載置するのが一般的である。
【０００６】
【発明が解決しようとする課題】
しかしながら、従来の構成では、図９に示すように棚板１１５にはブラケット１１７が設けられるので、このブラケット１１７が邪魔になって低温ショーケース１０１の上面１２１上にデッドスペースが生じたり、低温ショーケース１０１を取り付ける部分では棚板１１５が邪魔になり陳列空間を効率よく利用できないと共に意匠上の美観を損ねるという問題がある。
【０００７】
そこで、本発明の目的は、前述した従来の技術が有する課題を解消し、非冷棚等に設置された状態において空間を効率良く利用できると共に意匠上の美観を損ねない低温ショーケースを提供することにある。
【０００８】
【課題を解決するための手段】
上記課題を解決するために、請求項１記載の発明は、商品載置用非冷棚或いは大型低温ショーケース等における商品載置用棚板の取付板に取付可能なショーケース本体を備える低温ショーケースであって、前記ショーケース本体の背面側に前記取付板のフック穴に係合可能なフックを設けたことを特徴とする。
【０００９】
この発明では、棚板の取付板にショーケース本体を直接取り付けることができるので、ショーケース本体を支持するための棚板が不要になると共に、ショーケース本体の上面を物品陳列用の棚板として利用することができる。
【００１０】
請求項２記載の発明は、請求項１記載の発明において、前記フックは前記ショーケース本体に対して着脱自在であることを特徴とする。
【００１１】
この発明では、予め大きさの異なるフックを用意しておけば、異なる大きさのフック穴を有する非冷棚があったとしてもフックを付け替えることにより、ショーケース本体を取付板に直接取り付けることができる。
【００１２】
請求項３記載の発明は、請求項１または請求項２記載の発明において、前記ショーケース本体の前面側にプライスフォルダを設けたことを特徴とする。
【００１３】
この発明では、例えばショーケース本体の前面の上下にプライスフォルダを設ければ、プライスフォルダが設けられた他の棚と同様にショーケース本体の内部および上面に陳列される商品の値段を表示することが可能となる。
【００１４】
また、低温ショーケースを例えば非冷棚に設置する場合に、隣接する棚の前面に設けられたプライスフォルダと高さが等しくなるように低温ショーケースを設置すれば、意匠上の美観が得られる。
【００１５】
【発明の実施の形態】
以下、本発明の一実施形態を図面に基づいて説明する。
【００１６】
図４において、符号５１は例えばコンビニエンスストア等に設置される非冷棚を示す。この非冷棚５１の棚本体５３は、底部を構成する土台５５と、前記土台５５の中央から鉛直上方に向けて延びる板形状の取付板５７とからなる。この取付板５７の左右端縁には上下方向に一列に並べられた複数のフック穴５９が設けられる。また前記取付板５７には保冷を必要としない商品等を陳列することができる複数の棚板６１が着脱自在に取り付けられる。
【００１７】
各棚板６１には、図５に示すように２個のブラケット６３が設けられ、各ブラケット６３はフック部６３ａを備える。棚板６１を取り付ける際には、当該フック部６３ａを取付板５７のフック穴５９に挿入・係合させて取り付けられる。また各棚板６１および土台５５の正面端縁にはプライスフォルダ６５が設けられる。このプライスフォルダ６５には、陳列される商品の値段が表示される。
【００１８】
このように構成された非冷棚５１には、図６に示すように低温ショーケース１が取り付けられる。低温ショーケース１は、図１（Ａ）に示すようにショーケース本体３を備え、このショーケース本体３の背面には、図１（Ｂ）に示すように４個の二股のフック３９が設けられている。各フック３９はショーケース本体３の背面に対しねじ４１により着脱自在に取り付けられる。
【００１９】
低温ショーケース１を、図６に示すように非冷棚５１の上段に設置する場合には、まず棚６１ａおよび６１ｂ（図４）を取付板５７から取り外す。ここでフック３９はねじによって着脱自在であるため、低温ショーケース１を設置する前に、複数種類の非冷棚に対応する複数種類のフックを予め用意しておき、適切なフックを選択してフック３９を取り替えることは可能である。
【００２０】
次に、図６に示すように隣接する棚６１のプライスフォルダ６５と低温ショーケース１のプライスフォルダ４３の高さが等しくなるように位置を合わせて、低温ショーケース１の４個のフック３９を取付板５７のフック穴５９に挿入して、低温ショーケース１の取付板５７への取付けを行う。
【００２１】
このようにプライスホルルダ６３とプライスフォルダ４３の高さを等しくすると、意匠上の美観の効果が生じる。また店舗に配置されている既存の非冷棚５１に低温ショーケース１を設置することができるので、余分なコストを必要としない。さらに、複数種類のフック３９を予め用意しておけば、異なる大きさのフック穴を有する複数種類の非冷棚に対応させることが可能である。
【００２２】
低温ショーケース１を取付板５７から取り外すときには、低温ショーケース１を上方に少しずらしてから引き抜くと容易に取り外すことができる。なお、棚板６１を取り外すときも同様である。
【００２３】
上記した低温ショーケース１を非冷棚５１の中段に設置する場合には、棚板６１ｂおよび棚板６１ｃを取り外し、図７に示すように隣接する棚板６１の位置に合わせて低温ショーケース１のフック３９を取付板５７のフック穴５９に挿入し低温ショーケース１の取付けを行う。
【００２４】
このように、本実施形態による低温ショーケース１は、既存の非冷棚のいかなる位置にも設置することができる。なお、ショーケース本体３の正面側には上下にプライスフォルダ４３が設けられ、上のプライスフォルダ４３には低温ショーケース１の上面４５に載置された使用品の値段が表示され、下のプライスフォルダ４３には貯蔵室７に配置される商品の値段が表示される。
【００２５】
つぎに、低温ショーケース１の構成を説明する。
【００２６】
低温ショーケース１はショーケース本体３を備え、このショーケース本体３には、図２に示すように貯蔵室７と、冷気通路９ａ〜９ｃと、機械室１１とが設けられる。ショーケース本体３の貯蔵室７は庫内天板１３と、庫内背板１５と、商品陳列棚を構成する底板１７とで囲われ、更にその外側はほぼコの字形に形成された断熱材１９で囲われている。この断熱材１９と庫内背板１５との間の冷気通路９ｂには冷却器２１が設置され、この冷却器２１の上方には冷却器用送風機２３が設置されている。この冷却器用送風機２３が運転されると、矢印で示すように庫内冷気が循環する。
【００２７】
貯蔵室７の空気は、底板１７の前縁部近傍の吸込口２５から吸い込まれ、底板１７の下部の冷気通路９ａを通って冷気通路９ｂの冷却器２１に達し、この冷却器２１によって冷却された後、庫内天板１３の上部の冷気通路９ｃを通って庫内天板１３の前縁部近傍の吹出口２７から吹き出されて、いわゆるエアカーテン２９を形成する。エアカーテン２９を形成する冷気の一部は点線矢印で示すように貯蔵室７に流入することによって貯蔵室７を冷却する。エアカーテン２９を形成する冷気のうち吸込口２５に到達した冷気は、吸込口２５に吸い込まれ、冷気通路９ａに帰還する。
【００２８】
機械室１１には、凝縮器３１と、凝縮器用送風機３３と、圧縮機３５（図３）とが設けられ、圧縮機３５と凝縮器３１とは前記冷却器２１に冷媒管（図示せず）を介して接続され、これにより冷凍サイクルが構成されている。
【００２９】
この実施形態では、図３に示すように機械室１１の一方の側に奥行きを必要とする圧縮機３５が配置され、機械室１１の他方の側には、比較的奥行きを必要としない凝縮器３１が配置される。機械室１１とショーケース本体３とを仕切る断熱材１９（庫壁）は、圧縮機３５の奥行き寸法Ｈ１と凝縮器３１の奥行き寸法Ｈ２とのほぼ差分に相当する奥行き寸法Ｈ３だけ、当該凝縮器３１の側に凹むように曲げて形成され、この凹んだ部分３７には冷却器２１が設置される。
【００３０】
これによれば圧縮機３５、凝縮器３１、冷却器２１はきわめて効率よくコンパクトに設置されて低温ショーケース１の小型化かつ薄型化が図られ、またその分貯蔵室７のスペースを大きく構成することが可能となる。
【００３１】
次に、図８を参照して、低温ショーケース１を店舗等に設置される大型低温ショーケース８３に設置する場合を説明する。
【００３２】
前面開放型の大型低温ショーケース８３は貯蔵室８５を備え、この貯蔵室８５には棚板９１の取付板８７が設けられる。取付板８７には複数のフック穴８９が上下方向に４列設けられ、等しい高さの一対のフック穴８９を通じて複数の棚板９１が取り付けられる。なお各棚板９１の正面端縁部にはプライスフォルダ９３が設けられる。大型低温ショーケース８３の貯蔵室８５の上部前面側には吹出口９５が設けられ、貯蔵室８５の下部前面側には吸込口９７が設けられる。大型低温ショーケース８３が冷却運転中には、冷気がこの吹出口９５から吹き出され、エアカーテンが形成される。このエアカーテンを形成する冷気は貯蔵室８５を冷却しながら、吸込口９７に吸い込まれる。
【００３３】
前記した大型低温ショーケース８３の例えば左側上段に低温ショーケース１を設置する場合には、まず左側上段に取り付けられた棚板（図示せず）を取り外す。低温ショーケース１のプライスフォルダ４３と隣接する棚板９１のプライスフォルダ９３の高さが等しくなるように低温ショーケース１のフック３９（図１）を一対のフック穴９１に挿入・係合させて設置が完了する。
【００３４】
このように、低温ショーケース１は大型低温ショーケース８３に設置することも可能である。また大型低温ショーケース８３に設置された低温ショーケース１の貯蔵室７は、大型低温ショーケース８３の貯蔵室８７と異なる温度に設定することが可能である。したがって、大型低温ショーケース８３の貯蔵室８７とは異なる温度で保冷したい商品を１つの大型低温ショーケース８３に陳列することが可能になる。なお低温ショーケース１を大型低温ショーケース８３に設置した場合には、低温ショーケース１が冷気に取り囲まれるため、小さな消費電力で低温ショーケース１の貯蔵室７を所望の温度に冷却することができる。
【００３５】
以上、本発明の一実施形態を説明したが、本発明は上記実施形態に限定されるものでないことは明らかである。例えば、本実施形態ではフック３９の形状が二股であるが、これに限定されるものではない。
【００３６】
【発明の効果】
請求項１記載の発明によれば、ショーケース本体の背面側に棚板取付け用のフック穴に係合するフックを設けたので、ショーケース本体を支持する棚板とショーケース本体の上に物品陳列用の棚板とを取り付ける必要がなくなる。したがって、空間の利用効率が向上する。
【００３７】
請求項２記載の発明によれば、フックはショーケース本体に対して着脱自在であるので、低温ショーケースを例えば非冷棚に設置する場合に、予め大きさの異なるフックを用意しておけば、異なる大きさのフック穴を有する非冷棚に対応することが可能になる。
【００３８】
請求項３記載に発明によれば、ショーケース本体の前面側に、プライスフォルダを設けたので、例えばショーケース本体の前面の上下にプライスフォルダを設ければ、プライスフォルダが設けられた他の棚と同様にショーケース本体の上面および底面に陳列される商品の値段を表示することが可能となる。
【００３９】
また低温ショーケースを例えば非冷棚に設置する場合に、隣接する棚の前面に設けられたプライスフォルダと高さが等しくなるように低温ショーケースを設置すれば、意匠上の美観が生じる。
【図面の簡単な説明】
【図１】本発明の実施形態による低温ショーケースを示す斜視図であり、（Ａ）は正面側を示し、（Ｂ）は背面側を示す。
【図２】図１の低温ショーケースの内部構造を示す図である。
【図３】図１の低温ショーケースの内部構造を示す図である。
【図４】コンビニエンスストア等に設置される非冷棚の一例を示す斜視図である。
【図５】図３の非冷棚から取り外した棚を示す斜視図である。
【図６】本発明の実施形態による低温ショーケースを棚上段に設置した状態を示す斜視図である。
【図７】本発明の実施形態による低温ショーケースを棚中段に設置した状態を示す斜視図である。
【図８】本発明の実施形態による低温ショーケースを大型低温ショーケースに設置した状態を示す斜視図である。
【図９】従来の低温ショーケースを既存の非冷棚に設置した状態を示す斜視図である。
【符号の説明】
１  低温ショーケース
３９  フック
４１  ねじ
４３  プライスフォルダ
５９  フック穴
６３  プライスフォルダ
８９  フック穴
【図１】
0003796020.tif 000002
【図２】
0003796020.tif 000003
【図３】
0003796020.tif 000004
【図４】
0003796020.tif 000005
【図５】
0003796020.tif 000006
【図６】
0003796020.tif 000007
【図７】
0003796020.tif 000008
【図８】
0003796020.tif 000009
【図９】
0003796020.tif 000010